(57)【要約】【課題】ユーザーが自宅から離れた旅行先に居る場合でも、ユーザーの希望に合った店舗で、撮影画像を処理した物を受け取ることが可能な画像データ処理店舗検索送受信システムを提供する。【解決手段】映像信号を画像データとして記録する記録手段８、及び画像データと、位置情報を送信する端末側送信手段７、及び端末側受信手段を有する電子カメラ付き携帯端末１と、画像データと第１の付加情報とを受信するサーバー側受信手段、画像データの処理を行う店舗についてのデータベース１６、データベース１６から位置情報に基づいて店舗３を検索する検索手段１５、及び検索された店舗３に画像データと、ユーザーに関する情報とを送信するサーバー側送信手段を有するサーバー４とを備え、端末側受信手段は、店舗３及び／又はサーバー４から送信される店舗３に関する情報を受信する、画像データ処理店舗検索送受信システム。【選択図】図７
2004334855.tif 000002
【特許請求の範囲】
【請求項１】
撮像素子により光電変換された映像信号を画像データとして記録する記録手段、及び前記画像データと、位置情報を含む第１の付加情報とを送信する端末側送信手段、及び端末側受信手段を有する、電子カメラ付き携帯端末と、
前記画像データと前記第１の付加情報とを受信するサーバー側受信手段、前記画像データの処理を行う店舗についてのデータベース、前記データベースから前記第１の付加情報に基づいて１つ、又は複数の店舗を検索する検索手段、及び検索された前記１つの店舗に、又は検索された前記複数の店舗の中から、前記電子カメラ付き携帯端末のユーザーの指示に基づいて決定された１つの店舗に、前記画像データと、前記ユーザーに関する情報を含む第２の付加情報とを送信するサーバー側送信手段を有する、サーバーとを備え、
前記端末側受信手段は、前記店舗及び／又は前記サーバーから送信される前記店舗に関する情報を受信する、画像データ処理店舗検索送受信システム。
【請求項２】
前記第１の付加情報及び前記第２の付加情報は、前記画像データの処理と前記処理に関する情報である注文情報を含む、請求項１記載の画像データ処理店舗検索送受信システム。
【請求項３】
前記処理とは、前記画像データの印刷、及び／又は前記画像データの記録メディアへの格納であり、
前記処理に関する情報とは、前記印刷に関する情報、及び／又は前記格納に関する情報を含む、請求項２記載の画像データ処理店舗検索送受信システム。
【請求項４】
検索された前記複数の店舗からユーザーの指示に基づいて決定された店舗とは、前記複数の店舗に関する情報を前記電子カメラ付き携帯端末に送信し、前記ユーザーが前記複数の店舗から１つの店舗を選択することによって、決定された１つの店舗である、請求項１記載の画像データ処理店舗検索送受信システム。
【請求項５】
前記位置情報は、前記電子カメラ付き携帯端末の現在位置を示す情報を含んでいる、請求項１記載の画像データ処理店舗検索送受信システム。
【請求項６】
前記位置情報は、前記ユーザーが、前記画像データを処理した物の受け取りを希望する受け取り希望地域を示す情報を含んでいる、請求項１記載の画像データ処理店舗検索送受信システム。
【請求項７】
前記店舗に関する情報は、前記店舗の位置を示す情報を含んでいる、請求項１記載の画像データ処理店舗検索送受信システム。
【請求項８】
前記店舗に関する情報は、前記画像データを処理した物の受け取り可能時間を示す情報を含んでいる、請求項１記載の画像データ処理店舗検索送受信システム。
【請求項９】
前記店舗に関する情報は、前記店舗における前記画像データの処理の料金を示す情報を含んでいる、請求項１記載の画像データ処理店舗検索送受信システム。
【請求項１０】
前記店舗に関する情報は、前記店舗の所在地を示す情報と、前記画像データを処理した物の受け取り可能時間を示す情報を含んでおり、
前記サーバー側送信手段は、前記店舗の所在地を示す情報を前記電子カメラ付き携帯端末に送信し、
前記店舗は、前記受け取り可能時間を前記電子カメラ付き携帯端末に送信する店舗側送信手段を有している、請求項１記載の画像データ処理店舗検索送受信システム。
【請求項１１】
前記電子カメラ付き携帯端末は、現在位置を示す情報を取得するためのＧＰＳ手段を更に備えた、請求項５記載の画像データ処理店舗検索送受信システム。
【請求項１２】
前記電子カメラ付き携帯端末は、現在位置を示す情報を取得するためのＧＰＳ手段を更に備え、
前記位置情報は、前記画像データを送信した位置である出発位置、及び目的位置を示す情報、並びに前記出発位置から前記目的位置への移動中の、前記ＧＰＳ手段によって取得された位置及び時刻を示す情報を有しており、
前記検索手段は、前記位置情報から前記ユーザーの移動速度と、前記出発位置から前記目的位置への方向と、前記画像データを処理した物の受け取り可能時間から、前記店舗を検索する、請求項５記載の画像データ処理店舗検索送受信システム。
【請求項１３】
撮像素子により光電変換された映像信号を画像データとして記録する記録手段と、
前記画像データと、位置情報を含む第１の付加情報とを送信する端末側送信手段と、
前記画像データと前記第１の付加情報とを受信するサーバー側受信手段、前記画像データの処理を行う店舗についてのデータベース、前記データベースから前記第１の付加情報に基づいて１つ、又は複数の店舗を検索する検索手段、及び検索された前記１つの店舗に、又は検索された前記複数の店舗の中から、ユーザーの指示に基づいて決定された１つの店舗に、前記画像データと、前記ユーザーに関する情報を含む第２の付加情報とを送信するサーバー側送信手段を有する、サーバー
及び／又は前記店舗
から送信される前記店舗に関する情報を受信する端末側受信手段と、を備えた電子カメラ付き携帯端末。
【請求項１４】
撮像素子により光電変換された映像信号を画像データとして記録する電子カメラ付き携帯端末から送信された前記画像データと、位置情報を含む第１の付加情報とを受信するサーバー側受信手段と、
前記画像データの処理を行う店舗についてのデータベースと、
前記データベースから前記第１の付加情報に基づいて１つ、又は複数の店舗を検索する検索手段と、
検索された前記１つの店舗、又は検索された前記複数の店舗から、前記電子カメラ付き携帯端末のユーザーの指示に基づいて決定された１つの店舗に、前記画像データと、前記ユーザーに関する情報とを含む第２の付加情報を送信するサーバー側送信手段とを備え、
前記電子カメラ付き携帯端末の受信手段には、前記店舗及び／又は前記サーバー側送信手段から前記店舗に関する情報が送信される、サーバー。
【請求項１５】
撮像素子により光電変換された映像信号を画像データとして、電子カメラ付き携帯端末内に記録する記録工程と、
前記画像データ及び位置情報を含む第１の付加情報を前記電子カメラ付き携帯端末から送信する端末側送信工程と、
前記画像データ、及び前記第１の付加情報をサーバーが受信するサーバー側受信工程と、
前記画像データの処理を行う店舗についてのデータベースから前記第１の付加情報に基づいて１つ、又は複数の店舗を検索する検索工程と、
検索された前記１つの店舗、又は検索された前記複数の店舗から、前記電子カメラ付き携帯端末のユーザーの指示に基づいて決定された１つの店舗に前記画像データ、及び前記ユーザーに関する情報を含む第２の付加情報を送信するサーバー側送信工程と、
前記店舗及び／又は前記サーバーから送信された前記店舗に関する情報を前記電子カメラ付き携帯端末が受信する端末側受信工程とを備えた、画像データ処理店舗検索送受信方法。
【請求項１６】
前記位置情報は、前記ユーザーの宿泊先又は自宅の位置を示す情報を含んでおり、
前記ユーザーが、前記店舗の営業時間内に前記画像データを処理した物を取りに行くことが出来なかった場合、前記宿泊先又は自宅へ、前記画像データを処理した物を郵送する郵送工程を更に備えた、請求項１５記載の画像データ処理店舗検索送受信方法。
【請求項１７】
請求項１記載の画像データ処理店舗検索送受信システムの、前記データベースから前記位置情報に基づいて１つ、又は複数の店舗を検索する検索手段としてコンピューターを機能させるためのプログラム。
【請求項１８】
請求項１７記載のプログラムを担持した記録媒体であって、コンピュータにより処理可能な記録媒体。
【発明の詳細な説明】
【技術分野】
【０００１】
本発明は、撮像素子により光電変換された映像信号を画像データとし、その画像データの印刷等のサービスを行う店舗を検索する送受信システムに関するものである。
【背景技術】
【０００２】
従来、撮影画像を銀塩フィルムに記録する銀塩カメラ、あるいはメモリーに記録するデジタルカメラにおいて、撮影画像とともに撮影日付や時刻、シャッタースピード、絞り値といった付加情報を合わせて記録できるものがある。
【０００３】
これら付加情報の記録方法としては、銀塩カメラの場合、撮影画像に映し込む（合成する）方法が一般的である。またデジタルカメラの場合は、付加情報を撮影画像に対応させてメモリーに記録しておき、カメラ本体の表示画面やパソコン等のディスプレイで撮影画像を表示する際に付加情報を合成表示できる。この付加情報としては、例えば、特許文献１に記載されているように、デジタルカメラにＧＰＳ（Ｇｌｏｂａｌ  Ｐｏｓｉｔｉｏｎｉｎｇ  Ｓｙｓｔｅｍ）を搭載し、ＧＰＳから位置情報を取得し、その位置情報を撮影画像に表示することができる。
【０００４】
また、近年は携帯電話の普及がめざましく、特にカメラ付き携帯電話を用いることで、撮影した画像データを気軽に送信することが可能となっている。
【０００５】
ここで、上記銀塩カメラ、デジタルカメラ、カメラ付き携帯電話で撮影した画像については、ＣＤ−Ｒ等の大容量記録メディアに格納してパソコン等のディスプレイに表示したり、ハードコピーとしてプリントして楽しむのが大きな流れとなっている。特にデジタルカメラで撮影した画像の場合は、画像データを格納したメモリーをＤＰＥ店に持ち込んだり、あるいは画像データをネットワークを介して送信することで簡単にプリントアウト等のこれらサービスを受けられるようになった。さらにこのようなサービスにおいては発注を受けてからサービス完了までの時間の短さ、即ちスピードも重要なポイントとなっている。
【特許文献１】特開２０００−１９６９３３号公報
【発明の開示】
【発明が解決しようとする課題】
【０００６】
カメラは、日常生活に加え、旅行等のイベントで使用される頻度が高く、このような場合、ユーザーは自宅ではなく旅行先に居ることがほとんどである。そのため、ユーザーが旅行先から上記サービスを受けようと思えば、ネットワークを通じて画像データを送信する必要がある。
【０００７】
しかしながら、ネットワークを通じて送信しようにもパソコン等の機器を所持していない為に送信できず、たとえカメラ付き携帯電話等で送信が可能であったとしても、プリントアウト等のサービスを受けられるのは事前に決められた所定の店舗であるため、帰宅後でないと受け取ることができない、あるいは、店舗を指定出来るとしても、受け取るべき店舗の所在を調べる必要があり、不便であった。
【０００８】
本発明は、上記従来の課題を考慮し、ユーザーが自宅から離れた旅行先に居る場合でも、最も近い店舗若しくはユーザーの希望に合った店舗で、又はスピーディーに、撮影画像を処理した物を受け取ることが可能であり、ユーザーがかかる店舗の詳細な場所を調べる必要がない画像データ処理店舗検索送受信システム、画像データ処理店舗検索送受信方法、電子カメラ付き携帯電話、及びサーバーを提供することを目的とする。
【課題を解決するための手段】
【０００９】
上記の目的を達成するために、第１の本発明は、
撮像素子により光電変換された映像信号を画像データとして記録する記録手段、及び前記画像データと、位置情報を含む第１の付加情報とを送信する端末側送信手段、及び端末側受信手段を有する、電子カメラ付き携帯端末と、
前記画像データと前記第１の付加情報とを受信するサーバー側受信手段、前記画像データの処理を行う店舗についてのデータベース、前記データベースから前記第１の付加情報に基づいて１つ、又は複数の店舗を検索する検索手段、及び検索された前記１つの店舗に、又は検索された前記複数の店舗の中から、前記電子カメラ付き携帯端末のユーザーの指示に基づいて決定された１つの店舗に、前記画像データと、前記ユーザーに関する情報を含む第２の付加情報とを送信するサーバー側送信手段を有する、サーバーとを備え、
前記端末側受信手段は、前記店舗及び／又は前記サーバーから送信される前記店舗に関する情報を受信する、画像データ処理店舗検索送受信システムである。
【００１０】
又、第２の本発明は、
前記第１の付加情報及び前記第２の付加情報は、前記画像データの処理と前記処理に関する情報である注文情報を含む、第１の本発明の画像データ処理店舗検索送受信システムである。
【００１１】
又、第３の本発明は、
前記処理とは、前記画像データの印刷、及び／又は前記画像データの記録メディアへの格納であり、
前記処理に関する情報とは、前記印刷に関する情報、及び／又は前記格納に関する情報を含む、第２の本発明の画像データ処理店舗検索送受信システムである。
【００１２】
又、第４の本発明は、
検索された前記複数の店舗からユーザーの指示に基づいて決定された店舗とは、前記複数の店舗に関する情報を前記電子カメラ付き携帯端末に送信し、前記ユーザーが前記複数の店舗から１つの店舗を選択することによって、決定された１つの店舗である、第１の本発明の画像データ処理店舗検索送受信システムである。
【００１３】
又、第５の本発明は、
前記位置情報は、前記電子カメラ付き携帯端末の現在位置を示す情報を含んでいる、第１の本発明の画像データ処理店舗検索送受信システムである。
【００１４】
又、第６の本発明は、
前記位置情報は、前記ユーザーが、前記画像データを処理した物の受け取りを希望する受け取り希望地域を示す情報を含んでいる、第１の本発明の画像データ処理店舗検索送受信システムである。
【００１５】
又、第７の本発明は、
前記店舗に関する情報は、前記店舗の位置を示す情報を含んでいる、第１の本発明の画像データ処理店舗検索送受信システムである。
【００１６】
又、第８の本発明は、
前記店舗に関する情報は、前記画像データを処理した物の受け取り可能時間を示す情報を含んでいる、第１の本発明の画像データ処理店舗検索送受信システムである。
【００１７】
又、第９の本発明は、
前記店舗に関する情報は、前記店舗における前記画像データの処理の料金を示す情報を含んでいる、第１の本発明の画像データ処理店舗検索送受信システムである。
【００１８】
又、第１０の本発明は、
前記店舗に関する情報は、前記店舗の所在地を示す情報と、前記画像データを処理した物の受け取り可能時間を示す情報を含んでおり、
前記サーバー側送信手段は、前記店舗の所在地を示す情報を前記電子カメラ付き携帯端末に送信し、
前記店舗は、前記受け取り可能時間を前記電子カメラ付き携帯端末に送信する店舗側送信手段を有している、第１の本発明の画像データ処理店舗検索送受信システムである。
【００１９】
又、第１１の本発明は、
前記電子カメラ付き携帯端末は、現在位置を示す情報を取得するためのＧＰＳ手段を更に備えた、第５の本発明の画像データ処理店舗検索送受信システムである。
【００２０】
又、第１２の本発明は、
前記電子カメラ付き携帯端末は、現在位置を示す情報を取得するためのＧＰＳ手段を更に備え、
前記位置情報は、前記画像データを送信した位置である出発位置、及び目的位置を示す情報、並びに前記出発位置から前記目的位置への移動中の、前記ＧＰＳ手段によって取得された位置及び時刻を示す情報を有しており、
前記検索手段は、前記位置情報から前記ユーザーの移動速度と、前記出発位置から前記目的位置への方向と、前記画像データを処理した物の受け取り可能時間から、前記店舗を検索する、第５の本発明の画像データ処理店舗検索送受信システムである。
【００２１】
本発明によれば、ユーザーの旅程にあわせてサービスを受けることが可能で、ユーザーがかかる店舗の詳細な場所を調べる必要がない画像データ処理店舗検索送受信システムを提供することが出来る。
【００２２】
又、第１３の本発明は、
撮像素子により光電変換された映像信号を画像データとして記録する記録手段と、
前記画像データと、位置情報を含む第１の付加情報とを送信する端末側送信手段と、
前記画像データと前記第１の付加情報とを受信するサーバー側受信手段、前記画像データの処理を行う店舗についてのデータベース、前記データベースから前記第１の付加情報に基づいて１つ、又は複数の店舗を検索する検索手段、及び検索された前記１つの店舗に、又は検索された前記複数の店舗の中から、ユーザーの指示に基づいて決定された１つの店舗に、前記画像データと、前記ユーザーに関する情報を含む第２の付加情報とを送信するサーバー側送信手段を有する、サーバー
及び／又は前記店舗
から送信される前記店舗に関する情報を受信する端末側受信手段と、を備えた電子カメラ付き携帯端末である。
【００２３】
又、第１４の本発明は、
撮像素子により光電変換された映像信号を画像データとして記録する電子カメラ付き携帯端末から送信された前記画像データと、位置情報を含む第１の付加情報とを受信するサーバー側受信手段と、
前記画像データの処理を行う店舗についてのデータベースと、
前記データベースから前記第１の付加情報に基づいて１つ、又は複数の店舗を検索する検索手段と、
検索された前記１つの店舗、又は検索された前記複数の店舗から、前記電子カメラ付き携帯端末のユーザーの指示に基づいて決定された１つの店舗に、前記画像データと、前記ユーザーに関する情報とを含む第２の付加情報を送信するサーバー側送信手段とを備え、
前記電子カメラ付き携帯端末の受信手段には、前記店舗及び／又は前記サーバー側送信手段から前記店舗に関する情報が送信される、サーバーである。
【００２４】
又、第１５の本発明は、
撮像素子により光電変換された映像信号を画像データとして、電子カメラ付き携帯端末内に記録する記録工程と、
前記画像データ及び位置情報を含む第１の付加情報を前記電子カメラ付き携帯端末から送信する端末側送信工程と、
前記画像データ、及び前記第１の付加情報をサーバーが受信するサーバー側受信工程と、
前記画像データの処理を行う店舗についてのデータベースから前記第１の付加情報に基づいて１つ、又は複数の店舗を検索する検索工程と、
検索された前記１つの店舗、又は検索された前記複数の店舗から、前記電子カメラ付き携帯端末のユーザーの指示に基づいて決定された１つの店舗に前記画像データ、及び前記ユーザーに関する情報を含む第２の付加情報を送信するサーバー側送信工程と、
前記店舗及び／又は前記サーバーから送信された前記店舗に関する情報を前記電子カメラ付き携帯端末が受信する端末側受信工程とを備えた、画像データ処理店舗検索送受信方法である。
【００２５】
又、第１６の本発明は、
前記位置情報は、前記ユーザーの宿泊先又は自宅の位置を示す情報を含んでおり、
前記ユーザーが、前記店舗の営業時間内に前記画像データを処理した物を取りに行くことが出来なかった場合、前記宿泊先又は自宅へ、前記画像データを処理した物を郵送する郵送工程を更に備えた、第１５の本発明の画像データ処理店舗検索送受信方法である。
【００２６】
又、第１７の本発明は、
請求項１記載の画像データ処理店舗検索送受信システムの、前記データベースから前記位置情報に基づいて１つ、又は複数の店舗を検索する検索手段としてコンピューターを機能させるためのプログラムである。
【００２７】
又、第１８の本発明は、
第１７の本発明のプログラムを担持した記録媒体であって、コンピュータにより処理可能な記録媒体である。
【発明の効果】
【００２８】
本発明によれば、ユーザーが自宅から離れた旅行先に居る場合でも、最も近い店舗若しくはユーザーの希望に合った店舗で、又はスピーディーに、撮影画像の印刷コピーを受け取ることが可能であり、ユーザーがかかる店舗の詳細な場所を調べる必要がない画像データ処理店舗検索送受信システム、画像データ処理店舗検索送受信方法、電子カメラ付き携帯電話、及びサーバーを提供することが出来る。
【発明を実施するための最良の形態】
【００２９】
以下、図面を参照して本発明の実施の形態を説明する。
【００３０】
（実施の形態１）
図１は本実施の形態１の画像データ処理店舗検索送受信システムの全体構成図である。
【００３１】
図１に示す様に、本実施の形態１の画像データ処理店舗検索システムは、ユーザーが所持している、電子カメラ付き携帯電話１と、電子カメラ付き携帯電話１の無線基地局２と、画像データを印刷することが可能な複数の店舗３と、受信センターサーバー４と、これらをつなぐ通信ネットワーク５とを備えている。
【００３２】
図２は、電子カメラ付き携帯電話の概略図である。電子カメラ付き携帯電話１には、カメラ６と撮影画像や位置情報等を送受信する通信装置７が搭載されている。又、カメラ６の撮像素子により光電変換された映像信号を画像データとして記録する記録手段８が設置されている。
【００３３】
尚、本発明の電子カメラ付き携帯端末は、本実施の形態１の電子カメラ付き携帯電話１に相当するが、デジタルカメラにデータの送信機能が付いてるものであってもよい。
又、本発明の端末側送信手段と端末側受信手段は、本実施の形態１では通信装置７に相当し、端末側送信手段と端末側受信手段が兼ねられているが、別々に設けても良い。
【００３４】
図３は、受信センターサーバ４の構成図である。図３に示す様に、本発明のサーバーの一例である受信センターサーバー４は、通信ネットワーク５と、通信手段１３、Ｉ／Ｆ１４を介してつながっている。通信ネットワーク５から通信手段１３、Ｉ／Ｆ１４を介して得た情報は、本発明の検索手段の一例であるＣＰＵ１５によって各種処理がなされる。又、予め各種情報が格納されているＨＤ等の、本発明のデータベースの一例であるメモリー１６が設置されている。これらメモリー１６に格納されている各種情報は通信ネットワーク５を通じて追加、更新することも可能である。尚、本発明のサーバー側受信手段及びサーバー側送信手段は、本実施の形態１では通信手段１３に相当し、サーバー側受信手段とサーバー側送信手段が兼ねられているが、別々に設けても良い。
【００３５】
図４は、本実施の形態１における店舗３のネットワーク構成図である。店舗３は、通信ネットワーク５と通信手段２０、Ｉ／Ｆ２１を介してつながっている。通信ネットワーク５から、本発明の店舗側送信手段の一例である通信手段２０、Ｉ／Ｆ２１を介して得た情報はＣＰＵ２２によって各種処理がなされる。又、ＨＤ等のメモリー２３と、各種操作を行う端末装置２４と、画像データをプリントアウトするプリンタ装置２５が設置されている。
【００３６】
以上の構成を有する本実施の形態１のデータ処理店舗検索送受信システムを用いて、ユーザーが撮影画像の印刷コピーを受け取るまでについて以下に説明する。
【００３７】
図５は、本実施の形態１におけるユーザーが撮影画像の印刷コピーを受けとるまでのイメージ図である。
【００３８】
ユーザーは、例えば旅行中であり、その付近の何処に、撮影画像を印刷コピーしてくれる店舗があるのか分からない状況である。そこで本実施の形態１では、ユーザーが受信センターサーバ４に画像情報等を送信する時に、サービスを受けたい場所を指定することが出来るものとした。ただ、ユーザー自身がサービス提供店舗を調査する必要はなく、例えば、現在いる場所の地名を指定すれば、受信センターサーバ４が自動的にその近傍にある店舗３を検索してくれる。
【００３９】
そこで具体的には、まずユーザーが、図５の“１−１”に示す様に電子カメラ付き携帯電話１を用いて撮影を行う（本発明の記録工程の一例に相当する。）。
【００４０】
次に、“１−２”において電子カメラ付き携帯電話１に搭載された通信装置６を用いて画像情報を、無線基地局２を経由し受信センターサーバ４に送信する（本発明の端末側送信工程の一例に相当する。）。この際、電子カメラ付き携帯電話１に搭載された文字入力装置等を用いて、ユーザーが印刷画像を受け取ることを希望する受け取り希望地域、及び注文情報を送信する。
【００４１】
ここで、本発明の注文情報とは、撮影した画像情報に対してユーザーがどういった処理を希望するかという情報であり、例えば、本発明の処理の一例であるプリントアウトするサービス行う場合は、本発明の処理に関する情報の一例であるプリントサイズ、色調、枚数といった情報も含み、また、画像情報をＣＤ−Ｒ等のメディアに格納し、例えば電子アルバムとして保存するサービスを希望するような場合は、格納順序（撮影日付順、撮影場所順・・・）に関する情報をも含んでいる。また、メディア表面へのタイトル印刷等を希望する場合はそのタイトルのテキストデータ、フォント情報、あるいはそのタイトル画像としての印刷に使用する画像情報等を含めることも可能である。尚、本発明の画像データを処理した物とは、例えば上記プリントアウトした写真や、ＣＤ−Ｒ等のメディアに相当する。
【００４２】
このように、無線基地局２が受信した各種情報をともなった画像情報は、通信ネットワーク５を通じて受信センターサーバ４に受信される（本発明のサーバー側受信工程の一例に相当する。）。
【００４３】
ここで受信センターサーバ４は、メモリー１６に店舗情報を格納しており、ユーザーが指定した地域、例えば京都の清水寺などの情報をもとに、その地域の店舗３の検索を行う（本発明の検索工程の一例に相当する。）。
【００４４】
その後に、“１−３”において当該店舗３に画像情報とともに、ユーザーの名前、メールアドレスなどの個人情報、及び注文情報に関する情報を転送する（本発明のサーバー側送信工程の一例に相当する。）。
【００４５】
さらに“１−４”において受信センターサーバ４は、通信ネットワーク５を通じてユーザーに当該店舗３に関する情報の一部を送信する。ここで店舗３に関する情報の一部とは、例えば屋号、店の位置、ユーザーの居場所からの道順等の地図情報であり、要するにユーザーが当該店舗３に確実にアクセス出来るための情報である。
【００４６】
次に、“１−５”において画像情報等を受信した当該店舗３は、画像情報に対し、注文情報に基づいたサービス処理を行う。
【００４７】
そして、“１−６”においてサービス内容に基づいて、店舗３は店舗に関する情報の他の一部である料金、納期（サービス完了時点）その他営業時間等の情報をユーザーに電子メール等の手段を用いて連絡する。尚、納期は、本発明の受け取り可能時間の一例に相当し、又“１−４”と“１−６”においてユーザーに送信された店舗に関する情報を受信する工程が、本発明の端末側受信工程の一例に相当する。
【００４８】
最後に“１−７”において、ユーザーは上記店舗３からの情報に基づき移動後、指定の店舗３にて、撮像画像のコピーを受け取り、現金を払うなどの課金処理を行うことにより、スピーディーにサービスを受けることが可能となり、旅先でも所望の場所で所望のサービスを苦労することなく受けることが可能となる。
【００４９】
以上のように本発明においては、ユーザーが撮影画像の印刷コピーを受け取る場所を指定することができるので、旅先中などにてその地域の情報に不案内であっても、指定された店舗まで、確実に、短時間で行くことができるので、非常に便利である。
【００５０】
尚、本発明の第１の付加情報は、例えば本実施の形態１では、受け取り希望地域と注文情報に相当する。又、本発明のユーザーに関する情報は、例えば本実施の形態１では、ユーザーの名前、メールアドレスなどの個人情報に相当し、本発明の第２の付加情報は、本実施の形態１では、個人情報と注文情報に相当する。尚、これら第１の付加情報及び第２の付加情報は、上述した情報に限定されず、例えば付加情報２ではユーザーの位置情報を含んでいても良い。
【００５１】
又、本実施の形態１では、“１−４”において受信センターサーバー４が、ユーザーが店舗３へ確実にアクセス出来るための情報である店舗に関する情報の一部を電子カメラ付き携帯電話１へ送信し、“１−６”において店舗３が料金、納期、営業時間等の店舗に関する情報の他の一部を電子カメラ付き携帯電話１へと送信しているが、料金、納期、営業時間等についてもサーバー４が送信しても良い。この場合、例えばメモリー１６に店舗の納期、料金、営業時間に関する情報も保存し、更に納期等については店舗３から所定時間毎に更新するようにすれば、サーバー４が電子カメラ付き携帯電話１から店舗３に関する情報を全て送信することが出来る。
【００５２】
又、注文情報に基づいた料金と納期をサーバー４が一旦店舗３に問い合わせ、電子カメラ付き携帯電話１へと送信しても良い。又、上記と逆に、店舗３が確実に店舗３にアクセスできるための情報を送信することにより店舗に関する情報を全て送信しても良い。
【００５３】
又、本実施の形態１では、“１−３”において受信センターサーバー４において検索された店舗に画像データを送信しているが、受信センターサーバー４から検索された複数の店舗３の候補の中から、ユーザーが任意の店舗を選ぶようにしても良い。
【００５４】
例えば、店舗３の候補として、ユーザーの受け取り希望地域の近くに複数の店舗３が存在する場合も考えられる。そしてユーザーが無線基地局２に画像情報等を送信する際には、「候補店舗が複数ある場合にはそれら店舗及び料金等についての情報を事前に連絡して欲しい」旨の指示を含めることも出来、その指示があった場合、受信センターサーバー４が複数の店舗のサービス内容（料金、納期、営業時間等）を含んだ情報をユーザーに送信し、ユーザーが複数の候補の中から店舗を決定する。あるいは受信センターサーバー４が所在地、店名、連絡先等の形式的内容のみを含む情報をユーザーに送信し、サービス内容についてはそれぞれの店舗からユーザーに情報を提供してもよい。これにより、例えばユーザーは出来るだけ低価格で同様のサービスを受けることが出来る。
【００５５】
又、“１−６”において店舗３からユーザーへ連絡する際には、当該店舗３にて行っているキャンペーン内容等の付随情報を追加することも出来、ユーザーはそのキャンペーンでのサービスが気に入った場合は追加サービスを発注することもできる。
【００５６】
又、本発明の実施の形態１においては、受け取りの指定場所については、旅行先の場所について説明したが、自宅付近の店舗としてもよい。その場合には、旅行が終わり自宅に帰った際に、すぐに撮影画像の印刷コピーを受け取ることができる。
【００５７】
（実施の形態２）
次に、本発明の実施の形態２について説明する。なお、これまで説明したものは同一の符号を付し、その説明は省略する。
【００５８】
基本的な構成は実施の形態１と同様であるが、異なるのは、電子カメラ付き携帯電話１に、ＧＰＳモジュール１０が搭載されている点である。図６は、本実施の形態２におけるユーザーが撮影画像の印刷コピーを受けとるまでのイメージ図である。
【００５９】
図６に示す様に、“２―１”において、まずユーザーは、ＧＰＳ機能を備えた電子カメラ付き携帯電話１を用いて撮影を行う（本発明の記録工程の一例に相当する。）。
次に、“２−２”において、電子カメラ付き携帯電話１に搭載された通信装置６を用いて画像情報を、無線基地局２経由にて受信センターサーバ４に送信する（本発明の端末側送信工程の一例に相当する。）。この時、画像情報とともにユーザーの名前などの個人情報、注文情報及びユーザーの居場所に関するＧＰＳ情報が同時に送信される。
【００６０】
このように、無線基地局２が受信した各種情報をともなった画像情報は、通信ネットワーク５を通じて受信センターサーバ４が受信する（本発明のサーバー側受信工程の一例に相当する。）。ここで受信センターサーバ４は、メモリー１６にＧＰＳデータとともに店舗情報を格納しており、画像情報とともに受信したＧＰＳ情報を元に、ユーザーに最も近い店舗３を検索する（本発明の検索工程の一例に相当する。）。
【００６１】
次に、“２−３”において、当該店舗３に画像情報とともに注文情報及びユーザーの居場所に関するＧＰＳ情報を転送する。
【００６２】
さらに、“２−４”において受信センターサーバ４は通信ネットワーク５を通じてユーザーに当該店舗３に関する情報の一部を送信する。ここで店舗３に関する情報とは、例えば屋号、店の位置、営業時間、ユーザーの居場所からの道順、交通手段等であり、要するにユーザーが当該店舗３に確実にアクセス出来るための情報である。
【００６３】
次に、“２−５”において画像情報等を受信した当該店舗３は、画像情報に対し、注文情報に基づいたサービス処理を行う。例えば、注文情報に含まれる各種情報に基づき、所定の色調、サイズで所定枚数のプリントアウトを行う。
【００６４】
その際、“２−６”に示す様にサービス内容に基づいて、店舗３は店舗に関する情報の他の一部である料金、納期（サービス完了時点）その他営業時間等の情報をユーザーに電子メール等の手段を用いて連絡する。尚“２−４”と“２−６”においてユーザーに送信された店舗に関する情報を受信する工程が、本発明の端末側受信工程の一例に相当する。
【００６５】
最後に、“２−７”に示す様にユーザーは、上記店舗３からの情報に基づき、指定時刻に近くの店舗３にて、撮像画像のコピーを受け取り、現金を払うなどの課金処理を行うことにより、スピーディーにサービスを受けることが可能となり、旅先でも所望の時刻、場所で所望のサービスを苦労することなく受けることが可能となる。
【００６６】
以上のように本実施の形態２においては、ユーザーが自宅から離れた旅行先に居る場合でも、自分がいる最も近い店舗で、かつ店舗の場所を教えてくれるので、スピーディーに撮影画像の印刷コピーを受け取ることができ、又ユーザーがかかる店舗の詳細な場所を調べる必要がないため、便利である。
【００６７】
尚、ＧＰＳ情報には、ユーザーの居場所を示すＧＰＳ情報の他、送信する画像情報を撮影した撮影地に関するＧＰＳ情報も含めても良い。そのためには、撮影した時には自動的にＧＰＳ情報も記録しておくことが出来る構成となっている方が好ましい。
【００６８】
ユーザーの居場所に関するＧＰＳ情報が、撮影をする度に画像情報とともに記録される電子カメラ付き携帯端末の構成をとった場合は、ユーザーはどのＧＰＳ情報を基に受信センターサーバ４に判断させるのかを指定することも出来る。また、送信画像情報が複数ある場合であって、それら画像情報に付随しているＧＰＳ情報が異なる位置を示すＧＰＳ情報である時は、最後に撮影された画像情報に付随したＧＰＳ情報を基準に判断してもよい。
【００６９】
またかかる場合は、複数のＧＰＳ情報の中からどの情報を基準とすべきかの問い合わせを受信センターサーバ４からユーザーにしても良い。
【００７０】
また、本実施の形態２においては、ユーザーに対して、店舗の情報のみを連絡したが、ユーザーがいる場所の近くにある名所旧跡などの情報を同時に連絡し、観光案内の手助けのサービスを行っても良い。
【００７１】
また、本発明の実施の形態２においては、ユーザーが撮影画像の印刷コピーを店舗に取りに行く場合について説明したが、ユーザーの居場所が分かっているので、指定の時間に店舗から配達するようなシステムを用いても良い。
【００７２】
なお、本発明の実施の形態２においては、位置情報の取得手段として携帯端末に取り付けたＧＰＳを用いたが、通信手段としてＰＨＳ（Ｐｅｒｓｏｎａｌ  Ｈａｎｄｙｐｈｏｎｅ Ｓｙｓｔｅｍ）を用い、ＰＨＳ基地局情報を利用して、位置情報を取得する方法を用いても良い。
【００７３】
（実施の形態３）
次に、本実施の形態３について説明する。なお、これまで説明したものは同一の符号を付し、その説明は省略する。
【００７４】
基本的な構成は実施の形態２と同様であるが、異なるのは、ユーザーが受信センターサーバ４に画像情報等を送信した後、他の場所に移動中である点である。図７は、本実施の形態３におけるユーザーが撮影画像の印刷コピーを受けとるまでのイメージ図である。
まず、“３−１”において、ユーザーはＧＰＳ機能と電子カメラ付き携帯電話１を用いて撮影を行う（本発明の記録工程の一例に相当する。）。
【００７５】
次に、“３−２”において電子カメラ１に搭載された通信装置６を用いて画像情報及び注文情報を、無線基地局２経由にて受信センターサーバ４に送信する。
【００７６】
この際ユーザーは、電子カメラ付き携帯電話１に搭載された文字入力装置等を用いて、図８に示す画像データを送信した出発地点（Ａ地点）から、目的地（Ｂ地点）へ移動する旨を知らせる。このように、無線基地局２が受信した各種情報をともなった画像情報は、通信ネットワーク５を通じて受信センターサーバ４が受信する。
【００７７】
続いて、“３−３”において移動中の電子カメラ付き形態電話１から定期的に、ＧＰＳ機能によって取得される現在位置が、受信センターサーバ４に送信される。ここで、受信センターサーバ４は、定期的に送信される現在位置からユーザーが目的地（Ｂ地点）へ向かう際の移動速度、及び方向を推測する。尚、“３−２”と“３−３”が本発明の端末側送信工程の一例に相当する。又、電子カメラ付き携帯電話１から送信される、画像情報、注文情報、撮影地点、目的地、及びＧＰＳ機能によって定期的に取得される位置を受信センターサーバー４が受信する工程が、本発明のサーバー側受信工程の一例に相当する。
【００７８】
次に、目的地、方向より出発地点（Ａ）地点から目的地（Ｂ地点）へ移動する途中にある店舗３（ａ）、３（ｂ）、３（ｃ）、３（ｄ）が受信センターサーバ４により検索される。受信センターサーバ４は、メモリー１６に予め各店舗３における印刷終了時間情報も保存しており、印刷終了予定時刻におけるユーザーの位置を移動速度から推測し、そのユーザーの居場所近傍での店舗３を上記４つの店舗から選択する（本発明の検索工程の一例に相当する。）。
【００７９】
次に、“３−４”において、当該店舗３に画像情報とともにユーザーの名前などの個人情報、注文情報及びユーザーの移動中の位置に関するＧＰＳ情報を転送する（本発明のサーバー側送信工程の一例に相当する。）。
【００８０】
さらに、“３−５”において受信センターサーバ４は、通信ネットワーク５を通じてユーザーに当該店舗３に関する情報の一部を送信する。
【００８１】
又、“３−６”において画像情報等を受信した当該店舗３は、画像情報に対し、注文情報に基づいたサービス処理を行う。
【００８２】
そして、“３−７”においてサービス内容に基づいて、店舗に関する情報の他の一部である料金、納期（サービス完了時点）その他営業時間等の情報をユーザーに電子メール等の手段を用いて連絡する。尚“３−５”と“３−７”においてユーザーが送信された店舗に関する情報を受信する工程が、本発明の端末側受信工程の一例に相当する。
【００８３】
最後に、“３−８”においてユーザーは、上記店舗３からの情報に基づき、目的地（Ｂ地点）への移動中に、例えば指定の店舗３（ｃ）に立ち寄り、スピーディーにサービスを受けることが可能となり、旅先でも所望の場所で所望のサービスを苦労することなく受けることが可能となる。
【００８４】
以上のように本発明によれば、ユーザーの旅程に合わせて移動中の位置情報に基づき、最も近い店舗にて撮影画像の印刷コピーを受けることができるので、待ち時間が発生せず、旅先などでの貴重な時間を有効に使用することができ、又ユーザーがかかる店舗の詳細な場所を調べる必要がないため、便利である。
【００８５】
（実施の形態４）
次に、本実施の形態４について説明する。なお、これまで説明したものは同一の符号を付し、その説明は省略する。
【００８６】
実施の形態４の内容は、先に説明した実施の形態１、２、３のそれぞれの内容に対して、所定のサービスを追加するものである。具体的には、先の実施の形態１、２、３においては、ユーザーが所定の店舗３まで、撮影画像の印刷コピーを取りに行く場合について説明したが、指定の時間までに取りに行くことができなかった場合、例えば営業時間が終了してしまった場合にでも、確実に撮影画像の印刷コピーをユーザーが受け取ることができるシステムについて説明する。
【００８７】
図９は、本実施の形態４におけるユーザーが撮影画像の印刷コピーを受け取るまでのイメージ図である。
【００８８】
受信センターサーバ４を運営している会社は、ユーザーに急用ができ、店舗３からの受け取り指定時刻を過ぎて、営業時間内に取りに行くことができない場合の回避手段として、宿泊先のホテル、あるいは自宅宛に、撮影画像の印刷コピーを郵送するサービスを提供している。ユーザーは、店舗３に取りに行くことができない回避手段として、予め受信センターサーバ４を運営している会社に自宅の住所等を登録しておく。そして、店舗３は、ユーザーが営業時間内に撮影画像の印刷コピーを取りに来ない場合には、“４−１”に示す様にユーザーにより予め登録された宿泊先ホテル３０、あるいは“４−２”に示す様に自宅３１に郵送する。尚、本発明の郵送工程の一例は、例えば、図９“４−１”又は“４−２”に相当する。
【００８９】
また、撮像画像の印刷コピーに対する課金処理については、次のような手段が考えられる。つまり、受信センターサーバ４を運営している会社に事前にお金を払っておくプリペイド方式、電子カメラ付き携帯電話１を使用したクレジットカード処理方式、あるいは代金後払い方式などが考えられる。
【００９０】
以上のように本実施の形態４においては、ユーザーが指定の店舗にて撮影画像の印刷コピーを受け取ることができなかった場合においても、指定の場所に郵送してもらうことができるので、確実に受け取ることができる。
【００９１】
尚、本発明の画像データ処理店舗送受信システムのデータ処理は、実施の形態１〜３では、図５、６、７に示す様に、画像データを印刷する処理に相当し、本発明の画像データを処理した物は印刷コピーに相当するが、印刷に限るものではない。例えば、ユーザーが撮影画像データとともに、受信センターサーバー４に送信する注文情報として、画像データについて印刷を行わずに、実施の形態１においても延べたように画像情報をＣＤ−Ｒ等のメディアに格納し、例えば電子アルバムとして保存する処理を希望するような場合においては、店舗は当該処理を行うこととなる。その場合、ユーザーは当該店舗へ、ＣＤ−Ｒ等のメディアを受け取りに該当店舗へ行くことになる。又、画像データの印刷を行うとともにＣＤ−Ｒ等のメディアに格納をする処理を希望しても良い。この場合、実施の形態４では、ＣＤ−Ｒ等のメディアを指定の場所に郵送することになる。
【００９２】
尚、本発明のプログラムは、上述した本発明のデータ処理店舗検索送受信システムの検索手段の機能をコンピュータにより実行させるためのプログラムであって、コンピュータと協働して動作するプログラムである。
【００９３】
又、本発明の記録媒体は、上述した本発明のデータ処理店舗検索送受信システムの検索手段の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００９４】
又、本発明の上記「手段の機能」とは、前記手段の全部又は一部の機能を意味する。
【００９５】
又、本発明のプログラムの一利用形態は、コンピュータにより読み取り可能な記録媒体に記録され、コンピュータと協働して動作する態様であっても良い。
【００９６】
又、本発明のプログラムの一利用形態は、伝送媒体中を伝送し、コンピュータにより読みとられ、コンピュータと協働して動作する態様であっても良い。
【００９７】
又、記録媒体としては、ＲＯＭ等が含まれ、伝送媒体としては、インターネット等の伝送媒体、光・電波・音波等が含まれる。
【００９８】
又、上述した本発明のコンピュータは、ＣＰＵ等の純然たるハードウェアに限らず、ファームウェアや、ＯＳ、更に周辺機器を含むものであっても良い。
【００９９】
尚、以上説明した様に、本発明の構成は、ソフトウェア的に実現しても良いし、ハードウェア的に実現しても良い。
【産業上の利用可能性】
【０１００】
本発明の電子カメラ付き携帯端末及びサーバーによれば、ユーザーが自宅から離れた旅行先に居る場合でも、最も近い店舗若しくはユーザーの希望に合った店舗で、又はスピーディーに、撮影画像を処理した物を受け取ることが可能であり、ユーザーがかかる店舗の詳細な場所を調べる必要がないデータ処理店舗検索送受信システム等として有用である。
【図面の簡単な説明】
【０１０１】
【図１】本発明にかかる実施の形態１における画像データ処理店舗検索送受信システムの全体構成図
【図２】本発明にかかる実施の形態１における電子カメラ付き携帯電話の概略図
【図３】本発明にかかる実施の形態１における受信センターサーバの構成図
【図４】本発明にかかる実施の形態１における店舗のネットワーク構成図
【図５】本発明にかかる実施の形態１における画像データ処理店舗検索送受信システムを用いてユーザーが撮影画像の印刷コピーを受け取るまでのイメージ図
【図６】本発明にかかる実施の形態２における画像データ処理店舗検索送受信システムを用いてユーザーが撮影画像の印刷コピーを受け取るまでのイメージ図
【図７】本発明にかかる実施の形態３における画像データ処理店舗検索送受信システムを用いてユーザーが印刷画像の印刷コピーを受け取るまでのイメージ図
【図８】本発明にかかる実施の形態３における移動中のユーザーと店舗の位置関係を説明する図
【図９】本発明にかかる実施の形態４におけるユーザーが撮影画像の印刷コピーを受け取るまでのイメージ図
【符号の説明】
【０１０２】
１  電子カメラ付き携帯電話
２  無線基地局
３  店舗
４  受信センターサーバ
５  通信ネットワーク
６  カメラ
７  通信装置
８  記録手段
１０  ＧＰＳモジュール
１５、２２  ＣＰＵ
１６、２３  メモリー
２５  プリンタ装置
３０  ホテル  
３１  自宅
【図１】
2004334855.tif 000003
【図２】
2004334855.tif 000004
【図３】
2004334855.tif 000005
【図４】
2004334855.tif 000006
【図５】
2004334855.tif 000007
【図６】
2004334855.tif 000008
【図７】
2004334855.tif 000009
【図８】
2004334855.tif 000010
【図９】
2004334855.tif 000011